(57)【要約】【課題】サッシ枠に網戸が取り付けられていても、網戸を動かすことなく、障子に内蔵されたブラインドのスラットを屋内側から操作することのできるブラインドのスラット操作機構を提案する。【解決手段】サッシ枠２の一部に、網戸７よりも屋内側から操作可能な駆動手段を設け、障子３の一部に、該障子３を閉じた状態で駆動手段に係合する従動手段を設け、屋内側からの操作による駆動手段の動作が、前記係合箇所を経由して従動手段に伝達され、さらに従動手段の動作が、障子３に設けられた適宜の連系手段を介して、ブラインド６自体のスラット調整手段に伝達されるように構成する。【選択図】図３
2015117529.tif 000002
【特許請求の範囲】
【請求項１】
壁の窓開口部に設置されるサッシ枠と、
前記サッシ枠の枠内に取り付けられて屋外側に開放される障子と、
前記障子よりも屋内側の位置で前記サッシ枠の枠内に取り付けられる網戸と、を備え、
前記障子は、外障子と内障子とが互いに離間した状態に組み付けられる二重構造をなし、
前記外障子と前記内障子との間に、複数枚のスラットを有するブラインドが、スラット調整手段とともに収容されてなるブラインド内蔵サッシにおいて、
前記サッシ枠の一部に、前記網戸よりも屋内側から操作可能な駆動手段が設けられ、
前記障子の一部に、該障子を閉じた状態で前記駆動手段に係合する従動手段が設けられ、
屋内側からの操作による前記駆動手段の動作が、前記係合箇所を経由して従動手段に伝達され、
前記従動手段の動作が、前記障子に設けられた連系手段を介して前記スラット調整手段に伝達されるように構成されたことを特徴とするブラインド内蔵サッシのスラット操作機構。
【請求項２】
請求項１に記載のブラインド内蔵サッシのスラット操作機構において、
前記サッシ枠の一辺を構成する枠材に、操作ボックスが、前記サッシ枠の枠内に張り出すようにして取り付けられるとともに、
前記網戸が、前記操作ボックスと略同一面をなすようにして、前記サッシ枠の枠内に取り付けられ、
前記操作ボックスに前記駆動手段が設けられたことを特徴とするブラインド内蔵サッシのスラット操作機構。
【請求項３】
請求項１または２に記載のブラインド内蔵サッシのスラット操作機構において、
前記サッシ枠の下辺を構成する下枠材に操作ボックスが取り付けられて、
前記操作ボックスに前記駆動手段が設けられる一方、
前記障子の下辺を構成する下框に前記従動手段が設けられ、
前記障子の上辺を構成する上框に、前記ブラインドのスラット調整手段を内蔵したヘッドボックスが取り付けられ、
前記障子の片側縦辺を構成する縦框に沿って、前記連系手段が配設されたことを特徴とするブラインド内蔵サッシのスラット操作機構。
【請求項４】
請求項１〜３のいずれか１項に記載のブラインド内蔵サッシのスラット操作機構において、
前記駆動手段は、前記サッシ枠の屋内外方向に軸心を向けて配置された駆動軸部材を具備し、
前記従動手段は、前記障子の屋内外方向に軸心を向けて配置された従動軸部材を具備し、
前記障子を閉じた状態で、前記駆動軸部材と前記従動軸部材とが同軸状に継手係合され、
前記駆動軸部材の回転動作が前記従動軸部材の回転動作に伝達されることを特徴とするブラインド内蔵サッシのスラット操作機構。
【請求項５】
請求項４に記載のブラインド内蔵サッシのスラット操作機構において、
前記駆動手段は、前記サッシ枠の屋内側見付面と平行な面内で所定範囲を摺動しうるように設けられた操作具と、
前記操作スライダの摺動動作を前記駆動軸部材の回転動作に変換するラック・アンド・ピニオンと、を具備することを特徴とするブラインド内蔵サッシのスラット操作機構。
【請求項６】
請求項４に記載のブラインド内蔵サッシのスラット操作機構において、
前記駆動手段は、前記サッシ枠の屋内側見付面と平行な面内で所定範囲を回転しうるように設けられた操作具を具備し、
前記駆動軸部材が前記操作具の回転軸と同軸状に結合されて、前記操作具と一体的に回転することを特徴とするブラインド内蔵サッシのスラット操作機構。
【請求項７】
請求項４〜６のいずれか１項に記載のブラインド内蔵サッシのスラット操作機構において、
前記連系手段は、前記従動軸部材の回転動作が、前記従動軸部材に直接または間接的に連結されたベルト車を介して、前記スラット調整手段に伝達されるものであることを特徴とするブラインド内蔵サッシのスラット操作機構。
【請求項８】
請求項４〜６のいずれか１項に記載のブラインド内蔵サッシのスラット操作機構において、
前記連系手段は、前記従動軸部材の回転動作が、前記従動軸部材に同軸状に連結されたフレキシブルワイヤを介して、前記スラット調整手段に伝達されるものであることを特徴とするブラインド内蔵サッシのスラット操作機構。
【請求項９】
請求項４〜６のいずれか１項に記載のブラインド内蔵サッシのスラット操作機構において、
前記連系手段は、前記従動軸部材の回転動作が、複数個の歯車と、軸回りに回転可能な連系ロッドとを組み合わせて構成される連系装置を介して、前記スラット調整手段に伝達されるものであることを特徴とするブラインド内蔵サッシのスラット操作機構。
【発明の詳細な説明】
【技術分野】
【０００１】
本発明は、開閉可能な障子に複数枚の窓ガラスが互いに離間して取り付けられ、それら窓ガラスの間にブラインドが組み込まれてなるブラインド内蔵サッシにおいて、ブラインドのスラットを屋内側から操作するためのスラット操作機構に関する。
【背景技術】
【０００２】
窓開口部における断熱性、気密性、防音性等を高めるための建具として、窓枠に内外二重のガラス障子を開閉可能に建て込んだ二重ガラスサッシが公知である。この種の二重ガラスサッシにおいては、遮光や採光調節のために、しばしば内外のガラス障子の間にブラインドが取り付けられる。
【０００３】
図１５〜図１７は、本出願人が特許文献１、２等において開示しているブラインド内蔵型の二重ガラスサッシ（以下、「ブラインド内蔵サッシ」と呼ぶ。）９の概略的構成を示す。このブラインド内蔵サッシ９は、建物外壁の開口部に取り付けられたサッシ枠（窓枠）９２の枠内に、ブラインド９６を内蔵した障子９３が、屋外側に縦（竪）すべり出し方式で開閉するように取り付けられたものである。障子９３を開閉するためのオペレータハンドル９１２が、サッシ枠９２の下枠材９２５の屋内側に設置されており、このオペレータハンドル９１２を開放側に操作すると、障子９３の下框９３５に連結されたステー９１４が屋外側に迫り出して、障子９３の戸先部分が屋外側へと開放される。
【０００４】
障子９３は、外障子９４と内障子９５とが互いに離間して対向するように組み付けられている。外障子９４は、アルミ押出型材からなる外障子框体９４１に複層ガラス９４０を嵌め込んで構成され、内障子９５は、アルミ押出型材からなる内障子框体９５１に単板ガラス９５０を嵌め込んで構成され、外障子框体９４１と内障子框体９５１とがヒンジ金物等を介して互いに接離可能に連結されている。
【０００５】
ブラインド９６は、内障子９５の上框９５２に添設されたヘッドボックス９６２から、２本の昇降コード９６３および２組のラダーコード９６４を介して、外障子９４と内障子９５との間に形成された空間に吊持されている。昇降コード９６３は、ヘッドボックス９６２の内部から内障子９５の上角部へ引き回され、さらに、内障子９５の片側の縦框９５５の内部を経由して下方へと延長され、該縦框９５５の屋内側見付面に設けられた昇降用スライダ９６５に接続されている。また、ラダーコード９６４は、ヘッドボックス９６２の内部に収容されたスラット吊下ロッド９６７に係着されている。スラット吊下ロッド９６７の端部には伝動コード９６８が懸装され、その伝動コード９６８が内障子９５の片側の縦框９５５の内部を経由して下方へと引き回され、該縦框９５５の屋内側見付面に設けられたスラット調整ツマミ９６９に接続されている。そして、これら昇降用スライダ９６５やスラット調整ツマミ９６９を屋内側から手動で操作することにより、障子９３の開閉状態にかかわらず、昇降コード９６３やラダーコード９６４を動かして、障子９３に内蔵されたブラインド９６のスラット９６０を昇降させたり、スラット９６０の傾斜角度を調整したりすることができる。
【０００６】
なお、障子に内蔵されたブラインドの操作機構としては、例えば特許文献３に開示されているように、ブラインドのヘッドボックス内に組み込まれた被駆動機構を、マグネットを用いてガラス越しに駆動するようにした構成も公知である。
【先行技術文献】
【特許文献】
【０００７】
【特許文献１】特開２０１０−２２２９２０号公報
【特許文献２】特開２０１０−２２２９２４号公報
【特許文献３】特開２００５−１８８０６７号公報
【発明の概要】
【発明が解決しようとする課題】
【０００８】
前記従来のブラインド内蔵サッシにおいて、防虫のためにサッシ枠に網戸を取り付けようとすると、当然ながら、その網戸は障子よりも屋内側に配置されてサッシ枠の開口面を塞ぐことになる。すると、屋内側からは障子に設けられた昇降用スライダやスラット調整ツマミに直接、触れられなくなって、障子に内蔵されたブラインドの操作ができなくなってしまう。
【０００９】
この問題を解決するには、網戸をサッシ枠に対して着脱式にするか、または網戸が屋内側に開閉されるようにして、ブラインドを操作する都度、網戸を着脱あるいは開閉することが考えられる。（前述した特許文献１、２においても、ブラインド内蔵サッシの実施形態を示す図面中に網戸が記載されているが、その網戸は、ブラインド操作の都度、着脱されることを想定したものである。）
しかしながら、ブラインドを操作する度に、いちいち網戸を動かすのは甚だ不便であるし、サッシ枠や網戸の構造も複雑になってしまう。本発明は、かかる事情に鑑みてなされたもので、サッシ枠に網戸が取り付けられていても、網戸を動かすことなく、障子に内蔵されたブラインドのスラットを屋内側から操作することのできるブラインドのスラット操作機構を提案するものである。
【課題を解決するための手段】
【００１０】
本発明が適用されるのは、壁の窓開口部に設置されるサッシ枠と、前記サッシ枠の枠内に取り付けられて屋外側に開放される障子と、前記障子よりも屋内側の位置で前記サッシ枠の枠内に取り付けられる網戸と、を備え、前記障子は、外障子と内障子とが互いに離間した状態に組み付けられる二重構造をなし、前記外障子と前記内障子との間に、複数枚のスラットを有するブラインドが、スラット調整手段とともに収容されてなるブラインド内蔵サッシである。
【００１１】
本発明における障子の開閉方式については、主として縦すべり出し方式や開き方式（片開きまたは両開き）を想定している。ただし、障子を開く際に、障子全体が障子を閉じた位置よりもいくらか屋外側に移動する（障子を開く際に、障子の一部が障子を閉じた位置よりも屋内側に迫り出さない）方式であるならば、必ずしも前記方式に限定されるものではなく、例えば横引き、突き出し、横すべり出し、上げ下げ等の開閉方式と組み合わせたものであってもよい。
【００１２】
また、本発明におけるブラインドについては、細帯状のスラットをラダーコードで繋いで上下方向に昇降させる一般的な横型のベネチアンブラインドを想定しているが、内外二重構造の障子に組み込まれて、スラットあるいはこれに準じた遮光部材を動かして調整することができるならば、これに限らず、例えば縦型のブラインドや、ブラインドに類する他の遮光装置等も採用可能である。また、スラット調整手段は、スラットの傾斜角度を変化させるための機械的手段であり、ブラインドの基本的構造に応じて適宜、設定される。
【００１３】
そして、そのようなブラインド内蔵サッシのためのスラット操作機構として本発明が採用した構成は、前記サッシ枠の一部に、前記網戸よりも屋内側から操作可能な駆動手段が設けられ、前記障子の一部に、該障子を閉じた状態で前記駆動手段に係合する従動手段が設けられ、屋内側からの操作による前記駆動手段の動作が、前記係合箇所を経由して従動手段に伝達され、前記従動手段の動作が、前記障子に設けられた連系手段を介して前記スラット調整手段に伝達されるものとして特徴づけられる。
【００１４】
この構成によれば、屋内側から駆動手段を操作すると、その動作が障子に設けられた従動手段へと網戸越しに伝達され、さらに適宜の連系手段を介してスラット調整手段に伝達されることになるので、障子を閉じた状態でも、屋内側からのスラット調整操作が可能になる。
【００１５】
さらに、本発明は、前記スラット操作機構において、前記サッシ枠の一辺を構成する枠材に、操作ボックスが、前記サッシ枠の枠内に張り出すようにして取り付けられるとともに、前記網戸が、前記操作ボックスと略同一面をなすようにして、前記サッシ枠の枠内に取り付けられ、前記操作ボックスに前記駆動手段が設けられた構成を採用する。
【００１６】
この構成は、屋内側からサッシ枠や障子の見付面がほとんど見えなくなるようにして、極力、大きな開口面積を確保するように構成した、いわゆるフレームレスタイプのサッシ枠に、駆動手段を組み付けるためものである。サッシ枠の一辺または一部に、網戸と同程度の厚さを有する操作ボックスを付設して、その操作ボックスに駆動手段を組み付ければ、サッシの有効開口面積をあまり減らすことなく、サッシ枠の厚みも増やさずに、スッキリとした美観を維持したままで、屋内側からのスラット調整操作を可能にすることができる。
【００１７】
さらに、本発明は、前記スラット操作機構において、前記サッシ枠の下辺を構成する下枠材に操作ボックスが取り付けられて、前記操作ボックスに前記駆動手段が設けられる一方、前記障子の下辺を構成する下框に前記従動手段が設けられ、前記障子の上辺を構成する上框に、前記ブラインドのスラット調整手段を内蔵したヘッドボックスが取り付けられ、前記障子の片側縦辺を構成する縦框に沿って、前記連系手段が配設された構成を採用する。この構成によれば、特に横型のベネチアンブラインドを内蔵した、高さのあるサッシにおいて、好ましい操作性を得ることができる。
【００１８】
さらに、本発明は、前記駆動手段と前記従動手段との係合態様に関して、前記駆動手段が、前記サッシ枠の屋内外方向に軸心を向けて配置された駆動軸部材を具備し、前記従動手段が、前記障子の屋内外方向に軸心を向けて配置された従動軸部材を具備し、前記障子を閉じた状態で、前記駆動軸部材と前記従動軸部材とが同軸状に継手係合され、前記駆動軸部材の回転動作が前記従動軸部材の回転動作に伝達される、との構成を採用する。
【００１９】
この構成を採用した場合には、駆動軸部材の一端を、サッシ枠（またはサッシ枠に付設した操作ボックス）の屋外側に露呈するように凸設または凹設させる一方、従動軸部材の一端を障子の框体の屋内側に露呈するように凹設または凸設させることにより、駆動軸部材と前記従動軸部材とを、コンパクトな係合形態で、円滑に、かつ精度よく係合させることが可能になる。
【００２０】
さらに、本発明における駆動手段の具体的構成に関しては、前記サッシ枠の屋内側見付面と平行な面内で所定範囲を摺動しうるように設けられた操作具（操作スライダ）と、前記操作スライダの摺動動作を前記駆動軸部材の回転動作に変換するラック・アンド・ピニオンと、を具備するものとすることができる。
【００２１】
あるいは、前記駆動手段が、前記サッシ枠の屋内側見付面と平行な面内で所定範囲を回転しうるように設けられた操作具（操作ダイヤルまたは操作レバー）を具備し、前記駆動軸部材が前記操作具の回転軸と同軸状に結合されて、前記操作具と一体的に回転するものとすることもできる。
【００２２】
また、本発明における連系手段の具体的構成に関しては、前記従動軸部材の回転動作が、例えば、前記従動軸部材に直接または間接的に連結されたベルト車（プーリーに、ベルト以外のワイヤやロープ、コード等を懸装したものも含む。）や、前記従動軸部材に同軸状に連結されたフレキシブルワイヤや、複数個の歯車と軸回りに回転可能な連系ロッドとを組み合わせて構成される連系装置等を介して、前記スラット調整手段に伝達されるものとすることができる。
【発明の効果】
【００２３】
前述のように構成される本発明のブラインド内蔵サッシのスラット操作機構は、サッシ枠に設けられた駆動手段と、障子に設けられた従動手段とが、障子を閉じた状態で互いに係合するように構成されており、しかも、駆動手段は網戸よりも屋内側から操作可能に設けられている。したがって、網戸を閉じた状態でも、屋内側から駆動手段を操作することにより、その動作を従動手段へと伝達させ、さらに従動手段に連結された連系手段を経由させて、ブラインドのスラット調整手段を動作させることができる。かかる構成を採用することにより、内外二重構造を有する障子にブラインドを組み込んだブラインド内蔵サッシの使い勝手が大きく向上することとなる。また、何らかの事情で網戸が取り外されている場合でも、操作機構には何ら影響を受けず、まったく同様にして操作することができる。
【００２４】
さらに、サッシ枠の一辺を構成する枠材に、操作ボックスを、サッシ枠の枠内に張り出すようにして取り付け、その操作ボックスと略同一面をなすようにして網戸を取り付け、その操作ボックスに駆動手段を設けた場合には、サッシの有効開口面積をあまり減らすことなく、また、サッシ枠の厚みも増やさずに、スッキリとした美観を維持したままで、屋内側からのスラット調整操作を可能にすることができる。
【図面の簡単な説明】
【００２５】
【図１】本発明が適用されるブラインド内蔵サッシの全閉状態における屋内側正面図である。
【図２】図１のブラインド内蔵サッシの半開状態における屋外側正面図である。
【図３】図１のブラインド内蔵サッシの全閉状態における部分縦断面図である。
【図４】図１のブラインド内蔵サッシの全閉状態におけるサッシ中間部分の横断面図である。
【図５】図１のブラインド内蔵サッシの全閉から全開までの開閉状態を説明する横断面略図である。
【図６】図１〜図５のブラインド内蔵サッシに組み込まれるスラット操作機構（第１実施形態）の要部を示す、内障子の屋内側正面図（ａ）および左側面図（ｂ）である。
【図７】同じく、スラット操作機構（第１実施形態）の要部を示す、サッシ下部の横断面図である。
【図８】同じく、スラット操作機構（第１実施形態）の要部を示す、サッシ上部の横断面図である。
【図９】図１〜図５のブラインド内蔵サッシに組み込まれるスラット操作機構（第２実施形態）の要部を示す、内障子の屋内側正面図（ａ）および左側面図（ｂ）である。
【図１０】同じく、スラット操作機構（第２実施形態）の要部を示す、サッシ下部の横断面図である。
【図１１】同じく、スラット操作機構（第２実施形態）の要部を示す、サッシ上部の横断面図である。
【図１２】図１〜図５のブラインド内蔵サッシに組み込まれるスラット操作機構（第３実施形態）の要部を示す、内障子の屋内側正面図（ａ）および左側面図（ｂ）である。
【図１３】同じく、スラット操作機構（第３実施形態）の要部を示す、サッシ下部の横断面図である。
【図１４】同じく、スラット操作機構（第３実施形態）の要部を示す、サッシ上部の横断面図である。
【図１５】従来の構成にかかるブラインド内蔵サッシの正面図である。
【図１６】図１５のブラインド内蔵サッシの縦断面図である。
【図１７】図１５のブラインド内蔵サッシの横断面図である。
【発明を実施するための形態】
【００２６】
以下、本発明の実施の形態について図を参照して説明する。
図１〜図５は、本発明が適用されるブラインド内蔵サッシの全体的な構成例を示す。例示のブラインド内蔵サッシ１は、建物外壁の窓開口部に設置されるサッシ枠２と、該サッシ枠２の枠内に取り付けられて屋外側に開放される障子３とを備えており、さらに、サッシ枠２における障子３よりも屋内側の位置には網戸７が取り付けられている。
【００２７】
サッシ枠２は、アルミ押出型材からなる枠材を縦長の矩形に組み付けて構成されている。例示のサッシ枠２は、屋内側から見たときに、特にサッシ枠２の上辺を構成する上枠材２２および左右の側辺を構成する縦枠材２３、２４の見付幅が極力小さくなる断面形状を採用した、いわゆるフレームレスタイプのサッシ枠である。
【００２８】
障子３は、サッシ枠２の枠内に収容され、屋外側に縦（竪）すべり出し方式で開閉するように取り付けられている。障子３の四周を構成する框体の、屋内側見付面の周縁部にはシールパッキン３１が取り付けられており、このシールパッキン３１を介して、障子３とサッシ枠２との当接箇所が気密・水密的に封止される。
【００２９】
サッシ枠２の下辺を構成する下枠材２５の屋内側には、障子３を開閉するためのオペレータハンドル１２が取り付けられている。このオペレータハンドル１２を開放側に操作すると、図５（ａ）〜（ｃ）に示すように、障子３に連結されたステー１４が屋外側に迫り出して、障子３の戸先部分が屋外側へと開放される。オペレータハンドル１２を用いて障子３を開閉するこの操作は、網戸７を閉じたまま、網戸７よりも屋内側から行うことができる。
【００３０】
障子３は、外障子４と内障子５とが互いに離間して対向するように組み付けられた二重構造を有している。例示形態にかかる外障子４は、アルミ押出型材を略矩形に組み付けてなる外障子框体４１に、複層ガラス４０を嵌め込んで構成されている。また、例示形態にかかる内障子５は、合成樹脂型材を略矩形に組み付けてなる内障子框体５１に、単板ガラス５０を嵌め込んで構成されている。
【００３１】
外障子框体４１と内障子框体５１とは、障子３自体の戸先側に位置する外障子４の縦框４３および内障子５の縦框５３に取り付けられたヒンジ金物３２を介して、互いに接離可能に連結されている。つまり、図５（ｄ）に示すように、外障子４と内障子５とを一体的に開いた状態から、内障子５が、ヒンジ金物３２を支軸として、外障子４とは反対の開き勝手で屋内側へと開放されることになる。このような構成を採用することにより、必要に応じて障子３の内側、すなわち外障子４と内障子５との対向面を屋内側から掃除したり、後述するブラインドの手入れをしたりすることができる。内障子５を外障子４に対して閉じると、外障子框体４１の屋内側見付面の周縁部に取り付けられたシールパッキン４６が、内障子框体５１の屋外側見付面に当接して、障子３の内部空間が気密・水密的に封止される。また、内障子５と外障子４とを閉じ合わせている際には、框材等の適所に設けられた適宜のロック部材（図示せず）等を利用して、閉じ合わせた状態をロックしておくことができる。
【００３２】
例示のブラインド内蔵サッシ１におけるブラインド６は、複数枚のスラット６０を横向きに重ねて吊り下げる一般的なベネチアンブラインドであり、外障子４と内障子５とによって挟まれた空間に取り付けられている。ブラインド６は、上部に配置されるヘッドボックス６２と、ヘッドボックス６２から吊り下げられる左右一対の昇降コード６３と、２本の紐体が梯子状に編成されてヘッドボックス６２から吊り下げされる左右一対のラダーコード６４と、ラダーコード６４に載架される複数枚のスラット６０と、昇降コード６３およびラダーコード６４の下端に取り付けられたボトムレール６５とを備えている。
【００３３】
ヘッドボックス６２は、上方に開口した略溝形断面の部材で、ブラインド６の略全幅にわたり、内障子框体５１の上辺を構成する上框５２の、ガラス５０よりも屋外側の下面に添設されている。ヘッドボックス６２の内部には、スラット昇降手段と、スラット６０の傾斜角度を変化させるスラット調整手段とが組み込まれている。
【００３４】
例示形態におけるスラット昇降手段は、スラット６０を昇降させるための昇降コード６３を任意の位置に停止させて拘束する昇降規制部材（図示せず）を備えている。この昇降規制部材は、昇降コード６３の余長部分に挟着された状態で、通常時はヘッドボックス６２の片端部に嵌め込まれている。例示のブラインド内蔵サッシ１は、日常的にはブラインド６をあまり頻繁には昇降させないという想定で開口部に建て込まれるようになっており、ブラインド６を昇降させる際には、図５（ｄ）に示したように、内障子５と外障子４とを開いた状態で、ヘッドボックス６２に嵌め込まれている昇降規制部材を一旦、取り外し、昇降コード６３を引いてボトムレール６５を任意の高さに停止させる、という使い方をするように構成されている。
【００３５】
スラット調整手段は、ラダーコード６４が係着されるスラット吊下ロッド６７を備えている。このスラット吊下ロッド６７は、多角形断面（例示の形態では六角形）の棒状体からなり、該棒状体が、ヘッドボックス６２の長手方向に沿ってヘッドボックス６２の内部に配置され、適宜の軸受部材を介して軸回り正逆双方向に回転可能に保持されている。スラット吊下ロッド６７には、左右一対の巻上ドラム６８を介して、ラダーコード６４を構成する前後一対の紐体の上端部が係着されている。そして、後述する駆動手段の動作がスラット吊下ロッド６７に伝達されると、スラット吊下ロッド６７が正逆いずれかの方向に回転して、ラダーコード６４を構成する前後の紐体を互いに上下反対向きに昇降させることにより、スラット６０の傾斜角度が変化する。
【００３６】
網戸７は、サッシ枠２の屋内側の最小開口面よりもひと回り大きい網戸框体７１と、その内側に張設された網体７０とを具備しており、網戸框体７１がサッシ枠２の屋内寄りの位置に屋外側から嵌め込まれている。例示の形態における網戸７は、それ自体が頻繁に着脱あるいは開閉されないという想定で、メンテナンスなど必要な場合にのみ取り外しできる適宜の取着手段を介して、サッシ枠２に固定されている。網戸框体７１の上辺部および左右の縦辺部は、サッシ枠２に直接、添設されているが、網戸框体７１の下辺部は、サッシ枠２の下枠材２５に添設された操作ボックス２６の上面に載置された状態で、該操作ボックス２６に取り付けられている。
【００３７】
操作ボックス２６は、後述する駆動手段をフレームレスタイプのサッシ枠２に組み付けるために用意された部材である。操作ボックス２６は、略矩形の中空断面を有し、サッシ枠２の開口幅の略全体にわたって、サッシ枠２の下枠材２５の上面に添設されている。操作ボックス２６と網戸框体７１とは、互いの見込寸法（屋内外方向の厚み）を略合致させる形状に形成されており、したがって、網戸７と操作ボックス２６とは、互いの設置面が略同一面をなすように設置される。
【００３８】
本発明の要部は、前述のような構造のブラインド内蔵サッシ１において、サッシ枠２の一部に網戸７よりも屋内側から操作可能な駆動手段が設けられ、障子３の一部には該障子３を閉じた状態で駆動手段に係合する従動手段が設けられ、駆動手段を屋内側から操作すると、その動作が従動手段に伝達され、さらに適宜の連系手段を介してスラット調整手段に伝達されるように構成された点にある。以下、駆動手段、従動手段、および連系手段を組み合わせて構成されるスラット操作機構の実施の形態について、複数の例を示して説明する。
【００３９】
（第１実施形態）
図６〜図８は、図１〜図５に示したブラインド内蔵サッシ１に組み込まれるスラット操作機構の第１実施形態を示す。この形態では、サッシ枠２の下枠材２５に添設された操作ボックス２６に駆動手段が設けられる一方、内障子５の下框５５に従動手段が設けられ、さらに、内障子５の片側縦辺を構成する縦框５３に沿って連系手段が配設されている。
【００４０】
駆動手段は、操作ボックス２６の屋内側見付面に設けられた操作具としての操作スライダ８１１と、操作ボックス２６内に、屋内外方向に軸心を向けて配置された駆動軸部材８２と、操作スライダ８１１の動作を駆動軸部材８２に伝達するラック・アンド・ピニオン８３と、を具備している。
【００４１】
操作ボックス２６の屋内側見付面には、横長のスライダ案内溝２７が形成されており、指先で摘まみ易い適宜の形状を有する操作スライダ８１１が、このスライダ案内溝２７に係合された状態で、左右方向に所定範囲を摺動しうるように保持されている。
【００４２】
ラック・アンド・ピニオン８３は、横方向に直線状に延びる噛み合い歯を有するラック部材８３１と、ラック部材８３１に噛み合う全円形の小歯車８３２と、それらを収容するケース部材８３３とを組み合わせて構成されている。ケース部材８３３は操作ボックス２６内に組み付けられており、ケース部材８３３の略上半部に形成された横長の空間に、操作スライダ８１１に連結されたラック部材８３１が横方向に移動可能に収容されている。また、ケース部材８３３の略下半部には略円筒状の空間が形成されて、その内部に小歯車８３２が適宜の軸受部材（図示せず）を介して正逆双方向に回転可能に収容されている。この小歯車８３２は、それ自体が駆動軸部材８２を兼ねるものとなっており、小歯車８３２の軸心部分の屋外側端面が操作ボックス２６の屋外側見付面に凸設または凹設するように露呈して、従動手段との係合箇所を構成している。このような構成により、屋内側から操作スライダ８１１を左右方向に動かすと、その動作がラック・アンド・ピニオン８３を介して駆動軸部材８２の回転動作に変換されることとなる。
【００４３】
従動手段は、障子３を閉じた状態で駆動軸部材８２に係合される従動軸部材８４を具備している。この従動軸部材８４は、屋内外方向に軸心を向けて内障子５の下框５５を貫通するように配置され、適宜の軸受部材（図示せず）を介して正逆双方向に回転可能に保持されている。従動軸部材８４の屋内側端面は内障子５の下框５５の屋内側見付面に凹設または凸設するように露呈して、障子３を閉じると駆動軸部材８２の屋外側端面と同軸状に継手係合される。両軸部材を継手係合する形態としては、例えば、両軸部材の端部にそれぞれ、多角形状の凸部と凹部、突起と溝、鋸歯状の噛合部等を設けるなどして互いに空転しないように嵌合させる、公知一般の軸継手構造等を採用することができる。両軸部材を確実に係合させるために、適宜の位置合わせ手段や付勢手段を併用してもよい。かかる構成により、操作スライダ８１１の操作によって生じた駆動軸部材８２の回転動作が直接、従動軸部材８４に伝達されて、従動軸部材８４の回転動作になる。
【００４４】
連系手段は、内障子５の下框５５に沿って配置される第１連系ロッド８５１と、内障子５の縦框に沿って配置されるベルト車８６とを具備している。
【００４５】
第１連系ロッド８５１は、内障子５の下框５５に設けられた適宜の軸受部材を介して、軸回り正逆双方向に回転可能に保持されている。第１連系ロッド８５１の一端部は、従動軸部材８４の屋外側端部にかさ歯車８５２を介して連結されており、他端部は、内障子５の縦框５３の外側方まで延設されている。
【００４６】
ベルト車８６は、第１連系ロッド８５１の他端部に取り付けられた第１連系プーリー８６１と、スラット吊下ロッド６７の一端部を内障子５の縦框５３の外側方まで延設させて、その他端部に取り付けられた第２連系プーリー８６２と、それら第１連系プーリー８６１および第２連系プーリー８６２に懸装された無端のワイヤベルト８６３と、ワイヤベルト８６３を適切に展張させるために内障子５の縦框５３の外側面に取り付けられたテンションローラー８６４と、を組み合わせて、ワイヤベルト８６３が正逆双方向に回転しうるように構成されている。
【００４７】
これらの構成により、従動軸部材８４の回転動作が、軸心の向きを９０度変えて第１連系ロッド８５１の軸方向の回転動作に変換され、さらにベルト車８６を経由してスラット吊下ロッド６７の回転へと伝達される。こうして、スラット吊下ロッド６７が回転することにより、ラダーコード６４を構成する前後の紐体が互いに上下反対向きに昇降して、スラット６０の傾斜角度が変化することとなる。
【００４８】
（第２実施形態）
図９〜図１１は、スラット操作機構の第１実施形態を示す。このスラット操作機構も、図１〜図５に示したようなブラインド内蔵サッシ１に組み込まれるものであって、サッシ枠２の下枠材２５に添設された操作ボックス２６に駆動手段が設けられる一方、内障子５の下框５５に従動手段が設けられ、さらに、内障子５の片側縦辺を構成する縦框５３に沿って連系手段が配設されている。
【００４９】
駆動手段は、前述の第１実施形態にかかる構成と同一である。すなわち、操作ボックス２６の屋内側見付面に設けられた操作具としての操作スライダ８１１と、操作ボックス２６内に、屋内外方向に軸心を向けて配置された駆動軸部材８２と、操作スライダ８１１の動作を駆動軸部材８２に伝達するラック・アンド・ピニオン８３と、を具備し、屋内側から操作スライダ８１１を左右方向に動かすと、その動作がラック・アンド・ピニオン８３を介して駆動軸部材８２の回転動作に変換されるように構成されている。
【００５０】
従動手段も、前述の第１実施形態にかかる構成と同一である。すなわち、屋内外方向に軸心を向けて内障子５の下框５５を貫通する従動軸部材８４を具備しており、この従動軸部材８４の屋内側端面が、障子３を閉じると、駆動軸部材８２の屋外側端面と同軸状に継手係合される。
【００５１】
連系手段は、この第２実施形態においては、１本のフレキシブルワイヤ８７によって構成される。フレキシブルワイヤ８７は、その下端部が、適宜の継手部材を介して、従動軸部材８４の屋外側端部に同軸状に連結されている。フレキシブルワイヤ８７は、その連結箇所から湾曲されつつ内障子５の下框５５に沿って側方へ引き回され、さらに内障子５の下角部から縦框に沿うようにして上方へと延設され、さらに内障子５の上角部からヘッドボックス６２の内部に引き込まれており、その上端部は、適宜の継手部材を介して、スラット吊下ロッド６７の一端部に同軸状に連結されている。内障子５の縦框５３には、フレキシブルワイヤ８７を回転自在に把持するガイドホルダ（図示せず）が数カ所に取り付けられて、フレキシブルワイヤ８７の直立姿勢を保持している。
【００５２】
このような構成により、操作スライダ８１１の操作によって生じた駆動軸部材８２の回転動作が、従動軸部材８４の回転動作から、フレキシブルワイヤ８７の回転動作を経由し、スラット吊下ロッド６７の回転動作として伝達されることにより、スラット６０の傾斜角度が変化することとなる。
【００５３】
（第３実施形態）
図１２〜図１４は、スラット操作機構の第３実施形態を示す。このスラット操作機構も、図１〜図５に示したようなブラインド内蔵サッシ１に組み込まれるものであって、サッシ枠２の下枠材２５に添設された操作ボックス２６に駆動手段が設けられる一方、内障子５の下框５５に従動手段が設けられ、さらに、内障子５の片側縦辺を構成する縦框５３に沿って連系手段が配設されている。
【００５４】
駆動手段は、操作ボックス２６の屋内側見付面に設けられた操作具としての操作レバー８１２と、操作ボックス２６内に、屋内外方向に軸心を向けて配置された駆動軸部材８２と、を具備している。操作レバー８１２は、その軸部が操作ボックス２６を貫通して駆動軸部材８２の屋内側端部に結合されており、適宜の軸受部材（図示せず）を介して、正逆双方向に回転可能に保持されている。駆動軸部材８２の屋外側端面は、操作ボックス２６の屋外側見付面に凸設または凹設するように露呈して、従動手段との係合箇所を構成している。屋内側から操作レバー８１２を左右方向に動かすと、それと一体になって駆動軸部材８２が左右方向に回転する。
【００５５】
従動手段は、前述の第１実施形態および第２実施形態にかかる構成と同一である。すなわち、屋内外方向に軸心を向けて内障子５の下框５５を貫通する従動軸部材８４を具備しており、この従動軸部材８４の屋内側端面が、障子３を閉じると、駆動軸部材８２の屋外側端面と同軸状に継手係合される。
【００５６】
連系手段は、内障子５の下框５５に沿って配置される第１連系ロッド８５１と、内障子５の縦框５３に沿って配置される第２連系ロッド８８１とを具備している。
第１連系ロッド８５１は、内障子５の下框５５に設けられた適宜の軸受部材を介して、軸回り正逆双方向に回転可能に保持されている。第１連系ロッド８５１の一端部は、従動軸部材８４の屋外側端部にかさ歯車８５２を介して連結されており、他端部は、内障子５の縦框５３の外側方まで延設されている。
【００５７】
第２連系ロッド８８１は、内障子５の縦框５３に設けられた適宜の軸受部材を介して、軸回り正逆双方向に回転可能に保持されている。第２連系ロッド８８１の下端部は、第１連系ロッド８５１の他端部にかさ歯車８８２を介して連結されている。
【００５８】
第２連系ロッド８８１の上端部は、ヘッドボックス６２の側方まで延設され、スラット吊下ロッド６７の一端部を内障子５の縦框５３の外側方まで延設させた、その端部に、かさ歯車８８３を介して連結されている。
【００５９】
これらの構成により、従動軸部材８４の回転動作が、軸心の向きを９０度変えて第１連系ロッド８５１の軸方向の回転動作に変換され、さらに軸心を縦方向に変えて第２連系ロッド８８１の軸方向の回転動作に変換され、さらに軸心の向きを９０度変えてスラット吊下ロッド６７の回転へと伝達される。こうして、スラット吊下ロッド６７が回転することにより、スラット６０の傾斜角度が変化することとなる。
【００６０】
（その他の実施形態）
前記各実施形態のような構成を採用することにより、網戸７を閉じた状態でも、屋内側から操作スライダ８１１や操作レバー８１２等の操作具を操作して、スラット調整手段を動作させることができる。ただし、本発明は前記実施形態に限定されるものではなく、発明の趣旨を逸脱しない範囲内で、各部位の構成を、例えば以下のように適宜、改変するなどして実施することができる。
【００６１】
ブラインド内蔵サッシ自体の構成に関しては、屋外側に開放される内外二重構造の障子と、その屋内側に取り付けられる網戸とを具備するものである限り、全体が縦長以外の正面形状をなしていてもよいし、サッシ枠や障子の詳細な断面形状、障子の開閉方式等が前記実施形態とは異なるものであってもよい。
【００６２】
障子に内蔵されるブラインドに関しては、内障子側ではなく、外障子側に取り付けられていてもよい。その場合は、従動手段および連系手段が外障子側に設けられるか、内障子側に設けられた従動手段から外障子側に設けられた連系手段へと動作が伝達される構成を採用するのが好ましい。
【００６３】
また、スラット昇降手段やスラット調整手段の詳細な構成が、前記実施形態とは異なるものであってもよい。さらに、スラット昇降手段をスラット調整手段と組み合わせてコンパクトに一体化できるならば、屋内側からの操作でスラットの昇降までできるように構成してもよい。
【００６４】
駆動手段および従動手段の配置に関し、前記各実施形態では縦長のサッシにおける操作性に配慮して、駆動手段および従動手段をサッシの下部に設けたが、これに限らず、例えばサッシの全体形状が横長であるような場合は、駆動手段および従動手段を左右いずれかの側部（縦枠材および縦框）に設けてもよいし、サッシが低い位置に設置される場合は、駆動手段および従動手段をサッシの上部（上枠材および上框）に設けてもよい。さらに、駆動手段と操作部とを離隔して設け、両者を適宜の動力伝達機構を介して連結してもよい。
【００６５】
操作ボックスに関しては、前述した駆動手段および従動手段の配置に合わせて、サッシ枠の縦枠材や上枠材に添設してもよい。また、前記各実施形態ではフレームレスタイプのサッシ枠に駆動手段を組み付けるために操作ボックスを採用しているが、サッシ枠とそれに重なる障子の框材の屋内側見付寸法に余裕があるなどの場合は、操作ボックスを利用せず、サッシ枠に直接、駆動手段を組み付けるように構成してもよい。
【００６６】
駆動手段については、スライダやレバー以外にも、ダイヤル、回転ハンドル、引き紐など、屋内側からの操作によって回転動作や往復動作を発生させ得る公知の機構を適宜、採用することができる。また、従動手段および連系手段についても、駆動手段の機構や、それら相互の位置関係、サッシの全体的形状などに応じて、例えば図１５〜図１７に示した伝動コードを利用する構成に準じた機構など、機械的動作を合理的に伝達させ得る各種公知の機構を適宜、組み合わせて採用することができる。
【符号の説明】
【００６７】
１  ブラインド内蔵サッシ
１２  オペレータハンドル
２  サッシ枠
２５  下枠材
２６  操作ボックス
３  障子
４  外障子
５  内障子
５２  内障子の上框
５３、５４  内障子の縦框
５５  内障子の下框
６  ブラインド
６０  スラット
６２  ヘッドボックス
６３  昇降コード
６４  ラダーコード
６７  スラット吊下ロッド
７  網戸
８１１  操作スライダ（操作具）
８１２  操作レバー（操作具）
８２  駆動軸部材
８３  ラック・アンド・ピニオン
８４  従動軸部材
８６  ベルト車
８７  フレキシブルワイヤ
８５１  第１連系ロッド
８５２  かさ歯車
８８１  第２連系ロッド
８８２  かさ歯車
８８３  かさ歯車
【図１】
2015117529.tif 000003
【図２】
2015117529.tif 000004
【図３】
2015117529.tif 000005
【図４】
2015117529.tif 000006
【図５】
2015117529.tif 000007
【図６】
2015117529.tif 000008
【図７】
2015117529.tif 000009
【図８】
2015117529.tif 000010
【図９】
2015117529.tif 000011
【図１０】
2015117529.tif 000012
【図１１】
2015117529.tif 000013
【図１２】
2015117529.tif 000014
【図１３】
2015117529.tif 000015
【図１４】
2015117529.tif 000016
【図１５】
2015117529.tif 000017
【図１６】
2015117529.tif 000018
【図１７】
2015117529.tif 000019
【手続補正書】
【提出日】平成26年10月24日(2014.10.24)
【手続補正１】
【補正対象書類名】特許請求の範囲
【補正対象項目名】請求項５
【補正方法】変更
【補正の内容】
【請求項５】
請求項４に記載のブラインド内蔵サッシのスラット操作機構において、
前記駆動手段は、前記サッシ枠の屋内側見付面と平行な面内で所定範囲を摺動しうるように設けられた操作具と、
前記操作具の摺動動作を前記駆動軸部材の回転動作に変換するラック・アンド・ピニオンと、を具備することを特徴とするブラインド内蔵サッシのスラット操作機構。